(57)【要約】【課題】デザイン上の統一性を阻害しない状態で背もたれに引手部を設ける。【解決手段】背もたれ３は背板１０とバックサポート１１とを主要要素として構成されており、背もたれ３の上部には後ろ向きに突出したオーバーハング部３ａが形成されている。いる。背板１０はメインメンバー１４とトップメンバー１５とに分離構成されており、メインメンバー１４の後ろにバックサポート１１が配置されている。バックサポート１１の上端部には後ろ向きのオーバーハング部６５が形成されており、これに下向きか開口した引手穴６８を設けている。バックサポート１１のオーバーハング部６５はトップメンバー１５の後ろ壁８０で覆われている。【選択図】図４
2015057244.tif 000002
【特許請求の範囲】
【請求項１】
背もたれの背面部の上部に、人が下方から手先を挿入できる引手穴を、前後方向と上方には開口せず下方に開口するように設けている、
背もたれ付き椅子。
【発明の詳細な説明】
【技術分野】
【０００１】
本願発明は、背もたれに引手機能を設けた椅子に関するものである。
【背景技術】
【０００２】
人が椅子を手で引いて移動させる場合、背もたれの上部に手を当てて引っ張っている。そして、一般には、背もたれの上端を手で掴んで引いている。しかし、背もたれに表皮材が張られるていると、手を背もたれの上端に繰り返し当てているうちに、表皮材が汚れてしまうことがある。
【０００３】
他方、背もたれの上端部に引手部を設けることが行われ、或いは、提案されている。その例として特許文献１には、背もたれの背面に横長の棒状材より成る引手を取り付けることが開示されている。また、特許文献１の図８に開示されているように、背板の上端に前後開口の引手穴を空けることも行われている。
【先行技術文献】
【特許文献】
【０００４】
【特許文献１】特開２００６−１３６５７０号公報
【発明の概要】
【発明が解決しようとする課題】
【０００５】
特許文献１の構成は引手機能の面では問題はなく、また、背もたれとは別部材であるため、背もたれの表面に表皮材が張られていても汚れの問題はない。しかし、引手は背もたれの背面に突出した状態で取付けられているため、人に違和感を与えるおそれがあり、必ずしも美感に優れているとは言えない。
【０００６】
本願発明は、このような現状を改善することを課題とする。
【課題を解決するための手段】
【０００７】
前記課題を解決すべく請求項１の発明に係る椅子は、背もたれの背面部の上部に、人が下方から手先を挿入できる引手穴を、前後方向と上方には開口せず下方に開口するように設けている。なお、この請求項１の構成では、引手穴は下方にのみ開口していてもよいし、下方と左右方向とに開口していてもよい。
【０００８】
請求項２の発明では、請求項１において、前記背もたれの上部には後ろ向きに突出したオーバーハング部が略左右全長にわたって延びるように形成されており、前記オーバーハング部に前記引手穴を設けている。
ている。
【０００９】
請求項３の発明は、請求項２において、前記背もたれは背板とこれが取り付くバックサポートとを有しており、前記バックサポートの上端部に後ろ向きに突出したオーバーハング部を形成してこれに前記引手穴を設け、かつ、前記バックサポートのオーバーハング部は前記背板に設けた後ろ壁部で後ろから覆われている。
【発明の効果】
【００１０】
本願発明の引手穴は下向きに開口していて前後方向と上方とには開口していないため、引手穴が目立つことはなくて人に違和感を与えることはない。すなわち、デザインに溶け込んだ状態で引手穴を設けることができるのであり、このため、背もたれを美感に優れた
ものとすることができる。また、引手穴の内面は人目に触れることはないため、仮に引手穴が汚れても美感の悪化は生じない。従って、表皮材を張っている背もたれに好適である。
【００１１】
請求項２のように背もたれの背面にオーバーハング部を形成してこれに引手穴を設けると、背もたれの全体が厚くなることを防止できるため好適である。また、請求項３のようにバックサポートにオーバーハング部を形成してこれに引手穴を設けると、バックサポートは強度メンバーであって頑丈な構造であるため、強度に優れている。従って、例えば引手穴に手を掛けて椅子を持ち上げるといったことも可能である。
【００１２】
また、請求項３では、バックサポート１１のオーバーハング部は背板の後ろ壁部で後ろから覆われているため、バックサポートにオーバーハング部を形成したことに起因して美感が悪化するような問題はない。
【図面の簡単な説明】
【００１３】
【図１】椅子の外観図であり、（Ａ）は前方から見た斜視図、（Ｂ）は後ろから見た斜視図、（Ｃ）は側面図である。
【図２】椅子の分離斜視図である。
【図３】クッションを省略した状態での背もたれの外観図であり、（Ａ）は前方から見た斜視図、（Ｂ）は側面図、（Ｃ）は後ろから見た斜視図である。
【図４】（Ａ）は背もたれの背面部を下方から見た斜視図、（Ｂ）は背もたれの分離側面図である。
【図５】背もたれを後ろから見た分離斜視図である。
【図６】背もたれの構成要素を分離して後ろから見た分離斜視図である。
【図７】背もたれの分離斜視図である。
【図８】メインメンバーを裏返してバックサポートと並べた正面図である。
【図９】（Ａ）はメインメンバーとバックサポートとの分離斜視図、（Ｂ）はバックサポートの下部の部分斜視図、（Ｃ）はメインメンバーの下部の部分斜視図である。
【図１０】（Ａ）はメインメンバーの部分背面図、（Ｂ）はメインメンバーを後ろから見た部分斜視図、（Ｃ）はクッションの端部の部分正面図、（Ｄ）はクッションの取付け態様を示す平断面図である。
【図１１】（Ａ）はバックサポートの部分正面図、（Ｂ）はバックサポートを前から見た部分斜視図、（Ｃ）はバックシートの端部の部分正面図、（Ｄ）はバックシートの取付け態様を示す平断面図である。
【図１２】（Ａ）（Ｂ）とも要部の分離斜視図である。
【図１３】（Ａ）は背もたれを左右中央部で切断した分離図、（Ｂ）は継手の斜視図である。
【図１４】（Ａ）は背もたれの左右中央部での側断面図、（Ｂ）はトップメンバーの側端部の斜視図、（Ｂ）はトップメンバーの側端部の底面図である。
【発明を実施するための形態】
【００１４】
次に、本願発明の実施形態を図面に基づいて説明する。本実施形態は事務用に多用されている回転式ロッキング椅子に適用している。本願では方向を特定するため「前後」「左右」といった文言を使用するが、これは普通の姿勢で着座した人の向きを基準にしている。正面視は着座した人と対向した方向になる。
【００１５】
(1).椅子の概要
まず、主として図１〜６を参照して椅子の概要を説明する。図１に示すように、椅子は大きな要素として脚１と座２と背もたれ３とを備えている。脚１は放射方向に延びる枝足を有しているが図示は省略しており、ガスシリンダよりなる脚支柱４のみを表示している
。図示していないが、脚１を構成する各枝足の先端にはキャスタを設けており、このため椅子を容易に押し引き移動させることができる。脚支柱４の上端にはベース５が固定されており、ベース５の上方に座２が配置されている。
【００１６】
図２に示すように、座２は樹脂製の座インナーシェル（座板）６とその上面に張った座クッション７とから成っており、図２に示す中間支持体８に前後位置調節可能に取付けられている。中間支持体８の前部はフロントリンク９を介してベース５の前部に連結されており、フロントリンク９は側面視でベース５と中間支持体８との両方に対して相対回動する。従って、フロントリンク９が回動することにより、中間支持体８及び座２は上下動しながら前後動する。
【００１７】
背もたれ３は、着座者の体圧がかかるショル状の背板（背インナーシェル）１０とこれが取付けられたシェル状のバックサポート（背アウターシェル）１１とを有しており、背板１０の前面に背クッション１２が張られている。背クッション１２はクロス等の表皮材１３で前から覆われている。そして、図２に明示するように、背板１０はバックサポート１１の手前に配置されたメインメンバー１４とその上に重ね配置されたトップメンバー１５との２つの部材（パーツ）で構成されている。両メンバー１４，１５は、樹脂より成る射出成形品である。
【００１８】
背もたれ３の上端部に後ろ向きに突出したオーバーハング部３ａが左右全長にわたって形成されている。このため、背もたれ３はオーバーハング部３ａの部位がその下方の部位よりも厚くなっている。本実施形態では、メインメンバー１４が背もたれ３の大部分を占めて、トップメンバー１５は背もたれ３の上部を構成している。
【００１９】
メインメンバー１４の前面とトップメンバー１５の前面は滑らかに連続している。従って、着座した人は一体構造の背もたれと同様に違和感なく凭れる掛かることができる。本実施形態のトップメンバー１５は後ろに曲がって下向きにＵターンした形状をしており、従って、おおよそ下向き開口Ｕ字に近い側面視形態になっている。
【００２０】
背板１０におけるメインメンバー１４の上端とバックサポート１１の上端とは略同じ高さになっており、背板１０のトップメンバー１５はバックサポート１１の上面に重なっている。そして、背板１０のトップメンバー１５は、バックサポート１１の上部後方に回り込むようにオーバーハングしている。
【００２１】
図３に明示するように、バックサポート１１の下端には前向きに延びる左右一対のアーム１６が一体に形成されており、左右のアーム１６は門形のジョイント１７で連結されている。そして、左右のアーム１６はその前端部を中心にして後傾するようにベース５に連結されており、かつ、左右のアーム１６は金具１８（図１（Ｂ）に僅かに露出している。）を介して中間支持体８の後部と連結している。このため、背もたれ３が後傾すると、中間支持体８（座２）は金具１８に引かれて後退しつつ上昇する。ベース５の後部にはロッキングに対して抵抗を付与する弾性体が配置されている。
【００２２】
バックサポート１１の下端部はアーム１６の付け根よりも下方に突出している。また、バックサポート１１の下部の背面にはロアカバー１９が装着されている。バックサポート１１は後ろからバックシート２０で覆われており、ロアカバー１９もバックシート１１で覆われている。なお、アーム１６はバックサポート１１とは別部材に構成することも可能である。図１（Ａ）に示すように、表皮材１３の上部は左右横長の引き込み部２１で後ろ側に引っ張り保持されている。
【００２３】
(2).メインメンバー
以下、背もたれ３の詳細を説明する。まず、図７〜１１を中心にしてメインメンバー１４とバックサポート１１とを説明する。図８に明示するように、バックサポート１１とメインメンバー１４とは上端の横幅より下端の横幅が小さく、従って、両者とも正面視で逆台形の形状を成している。例えば図７（Ｂ）に明示するように、バックサポート１１とメインメンバー１４とは、いずれも平面視で前向き凹状に緩い曲率で湾曲しており、かつ、両者とも着座者の腰部が当たる部分が最も前に位置するように側面視で前向き凸状に湾曲している。
【００２４】
例えば図２に示すように、メインメンバー１４の左右両側部には前向きに突出した角形のサイド突条２３が形成され、メインメンバー１４の下端にも前向きに突出した角形のボトム突条２４が形成されている。両突条２３，２４は互いに連続している。両突条２３，２４は後ろ向きに開口してチャンネル状の形態を成しており。
【００２５】
例えば図１０（Ｄ）に示すように、め４において背クッション１２はサイド突条２３及びボトム突条２４の内側に配置されており、従って、サイド突条２３とボトム突条２４とは補強機能と背クッション１２の位置決め機能とを有している。背クッション１２を覆う表皮材１３はメインメンバー１４の後ろに巻き込まれており、表皮材１３の端縁はバックサポート１１で隠れている。
【００２６】
そして、表皮材１３の端縁には樹脂板のような帯板状の縁板２５が縫着や接着等の手段で固定されている一方、メインメンバー１４の背面のうち突条２３，２４のやや内側に位置した部位にはキャッチ突起２６を適宜間隔で数形成しており、縁板２５に形成したキャッチ穴２７をキャッチ突起２６に嵌め込んでいる。なお、縁板２５はねの全体を表皮材１３に重ねた縫着しており、このため、表皮材１３は縫着部の箇所で折り返されている。
【００２７】
(3).バックサポート
例えば図７及び図８に示すように、バックサポート１１の左右両側縁は略前向きに突出した側壁１１′になっており、また、バックサポート１１の下部には、メインメンバー１４におけるボトム突条２４の後ろに位置した左右横長のロアリブ３０が前向き突設されている。ロアリブ３０の下面には多数の補強リブが連接されている。図１０（Ｄ）に示すように、バックサポート１１の側壁１１′はメインメンバー１４におけるサイド突条２３の後ろに位置している。
【００２８】
バックサポート１１の前面には、アーム１６に連続する左右一対ずつの内側縦リブ３１及び外側縦リブ３２が前向きに突設されており、ロアリブ３０は内側縦リブ３１に接続さている。また、左右の外側縦リブ３２の上端は上部水平リブ３３を介して連続しており、左右の内側縦リブ３１の上端は下部水平リブ３４を介して連続していま。また、下部水平リブ３４は左右の外側縦リブ３２にも連続している。
【００２９】
これらのリブ３０〜３４は補強機能を有すると共に、背板１０が着座者の体圧で後ろ向きに凹むように変形したときの変形量を規制するストッパーの役割も果たしている。また、内外の縦リブ３１，３２は背板１０を取付ける機能も果たしている（この点は後述する）。
【００３０】
既述のようにバックサポート１１はバックシート２０で後ろから覆われている。図１１（Ｃ）（Ｄ）に示すように、バックシート２０の周縁にも樹脂板等の帯の縁板３５が縫着等で固定されている一方、バックサポート１１の前面のうち左右両側部にはキャッチ突起３６が上下適宜間隔で前向きに突設されており、縁板３５に空けたキャッチ穴３７をキャッチ突起３６に嵌め込んでいる。キャッチ突起３６には抜け止めのための膨出部３６ａが形成されている。
【００３１】
(4).バックサポートへの背板の取付け手段
背板１０はバックサポート１１に簡単に着脱できる。この点を主として図９を参照して説明する。メインメンバー１４はバックサポート１１に左右ずれ不能に保持する必要がある。そこで、メインメンバー１４の左右両側部と下部とに略角形の位置決め突起４２，４３を後ろ向きに突設して、上部位置決め突起４２はバックサポート１１に設けた左右一対の上部挟持体４４の間に嵌め入れ、下部位置決め突起４３はバックサポート１１における内外縦リブ３１，３２の間に嵌め入れている。
【００３２】
また、メインメンバー１４を前向き移動不能に保持する手段として、メインメンバー１４のうち上部位置決め突起４２の外側に上部係合体４５を後ろ向きに突設し、この上部係合体４５の先端部に平面視で傾斜した上部係合爪４６を一体に設けている一方、バックサポート１１の前面には、上部係合爪４６が引っ掛かる平面視Ｌ形の上部係合受け部４７を形成している。上部係合受け部４７は補強のため底板４７ａを設けている。
【００３３】
上部係合爪４６はメインメンバー１４に手前に行くほど左右外側にずれるように平面視で傾斜したヒレ状の形態であり、このため、その先端が上部係合体４５に近づくように撓み変形し得る（弾性に抗して窄まり変形し得る。）。そして、メインメンバー１４が左右移動不能に保持された状態で上部係合爪４６の先端が上部係合受け部４７に後ろから当接する。
【００３４】
メインメンバー１４の背面のうち下部位置決め突起４３より下方の下端部には、下部係合体４８を後ろ向きに突設しており、この下部係合体４８に、平面視で傾斜した左右一対の下部係合爪４９を一体に設けている。左右の下部係合爪４９はヒレ状（舌状）の形態であり、両者は手前に行くほど互いの間隔が広がるように傾斜している。すなわち、下部係合体４８と左右の下部係合爪４９とで矢印形が形成されている。下部係合爪４９も上下係合爪４６と同様に、その付け根を中心に回動するように弾性に抗して撓み変形し得る。
【００３５】
メインメンバー１４の下部係合体４８は、バックサポート１１における内外縦リブ３１，３２の間の溝に入り込む。そして、内外の縦リブ３１，３２に、下部係合爪４９が後ろ側から当接する左右一対の下部係合受け部５０を相対向するように形成している。
【００３６】
上下の係合爪４６，４９は、基本的には、背板１０を上からずらし移動させるたことで係合受け部４７，５０に係合させられる。但し、場合によっては、上からずらし移動させても上下の係合爪４６，４９のうちいずれか一方又は両方が係合受け部４７，５０に嵌まらない場合が有り得る。この場合は、図１０に矢印Ａで示すように、メインメンバー１４をバックサポート１１に対して後ろ向きに押し付けることにより、係合受け部４７，５０に係合させることができる。この場合は、係合爪４６，４９を弾性変形させて係合受け部４７，５０に引っ掛けることになる。
【００３７】
メインメンバー１４は、その上端においても、バックサポート１１に対して左右動不能及び下向き移動不能に保持されている。すなわち、メインメンバー１４の上端のうち左右両端寄り部位に後ろ向きの上端突起５３と、上端突起５３に連続した上下開口の上枠部５４とを後ろ向きに突設している一方、バックサポート１１には、上端突起５３が嵌まる上端凹部５５と、上枠部５４に下方から嵌まり込む雄型受け部５８とが形成されている。雄型受け部５８の下方は前後に開口した内枠部５６になっている。
【００３８】
上端突起５３の上面は上フランジ６３になっており、他方、バックサポート１１における上端凹部５５の上部は、上フランジ６３が前から重なる上段部５５ａになっている。また、メインメンバー１４の上枠部５４は左右横長の前後横バー部５４ａ，５４ｂを有して
おり、両者の間に雄型受け部５８が位置している（図１７参照）。内枠部５６は、左右側板５７と上板５８と下面５９とを有していて上下に長い長方形の形態を成している。
【００３９】
メインメンバー１４のうち上枠部５４の真下部位には、トップメンバー１５を上向き動不能に保持する係合手段の一例してアッパー係合爪６０が形成されている。アッパー係合爪６０は弾性に抗して変形することにより、その下端を中心にして前後に回動し得る。他方、バックサポート１１における内枠部５６の内部のうち、やや上下中間位置より上方の部位には横長の支軸６１が一体に形成されており、この支軸６１に、例えば図１４（Ａ）や図１８に示すレバー６２が回動自在に取付けられている。
【００４０】
そして、トップメンバー１５はアッパー係合爪６０によって上向き移動不能に保持されると共に、レバー６２を回動操作することでトップメンバー１５に対するアッパー係合爪６０の係合を解除することができる。この点は本願発明との直接の関係はないので説明は省略する。
【００４１】
例えば図１４に示すように、メインメンバー１４の上端には後ろ向きに突出した庇状の上フランジ６３が形成されている。上枠部５４は上フランジ６３に連続した状態に形成されている。他方、例えば図１０（Ａ）に示すように、バックサポート１１の上端にも上フランジ６４を形成しており、内枠部５６の上端は上フランジ６４から少し突出している。
【００４２】
例えば図６に示すように、バックサポート１１の上部のうち左右の内枠部５６の間には、後ろ向き突出部６５が形成されている。後ろ向き突出６５は上フランジ６４に連続した背面板６６と、背面板６６及びバックサポート１１の基板に連続した下面板６７とを有しており、図５（Ａ）に示すように、下面板６７には人が手先を差し込むことができる引手穴６８を設けている。
【００４３】
このため、人はバックサポート１１の後ろ向き突出部６５に手を掛けて椅子を引き寄せたり引いて移動させたりすることができる。そして、バックサポート１１は堅牢な構造の強度メンバーであるため、例えば、人が引手穴６８に手先を挿入して椅子を持ち上げても、強度的な問題は生じない。さて、椅子を移動させる場合、手で背もたれの上面部を掴むことが多く、この場合、繰り返していると背もたれの上面が汚れる問題がある。これに対して本実施形態のように引手穴６８を設けると、背もたれの上面の汚れを防止できる。
【００４４】
(5).トップメンバーの構造及びメインメンバーとの関係
次に、従前の図に加えて図１３及び図１４を参照してトップメンバー１５とその取付け構造を簡単に説明する。例えば図１２から理解できるように、バックサポート１１は、メインメンバー１４の上フランジ６３及びバックサポート１１の上フランジ６４に対向する重合面７１を有しており、重合面７１の左右中間部と左右両端部とに第１下向き突起７２を設け、第１下向き突起７２をメインメンバー１４の上フランジ６３に形成した位置決め穴７３に嵌め入れている。
【００４５】
本実施形態では、メインメンバー１４の上面とバックサポート１１の上面とは略同じ高さになっており、トップメンバー１５が両方に重なっている。高さが相違するトップメンバー１５を１種類のメインメンバー１４に接続できるが、トップメンバー１５はその高さに関係なくバックサポート１１に重なっているため、デザイン的な統一性を確保しつつ背もたれ３の高さを変更できるのである。
【００４６】
例えば図１２や図１３に示すように、トップメンバー１５のうち第１下向き突起７２の少し内側の部位には、ガイドリブ７４を設けている。ガイドリブ７４の前面は上に行くほど手前にずれるように傾斜しており、背板１０の取付けに際しては、ガイドリブ７４がバ
ックサポート７の雄型受け部５８に上から当たることにより、背板１０はバックサポート７に重なるように後ろ向き移動がガイドされる。
【００４７】
図１２に示すように、トップメンバー１５の左右両側部には、メインメンバー１４のサイド突条２３に連続したトップ突条７５が形成されており、トップ突条７５の下端に第２下向き突起７６を設けている。他方、メインメンバー１４におけるサイド突条２３の上端部は上向きに開口した筒状部７７になっており、この筒状部７７に第２下向き突起７６を嵌め入れている。なお、突起と筒状部との関係を逆にしてもよいし、別部材の継手で連結することも可能である。
【００４８】
トップメンバー１５の重合面７１はその左右両端部が切欠かれた状態になっており、このため、トップメンバー１５の左右両側部には上端近くまで延びる横向きのサイド凹所７８が開口している。そして、バックサポート１１の左右両端部に差し込み装着した上下長手のプラグ７９をトップメンバー１５のサイド凹所７８に嵌合させている。
【００４９】
例えば図１０（Ａ）に示すように、バックサポート１１の左右両端部には前向きに開口した溝形の耳部１１ａを形成しており、耳部１１ａに形成した蟻溝１１ｂにはプラグ７９の足部７９ａ（図１３（Ｂ）参照）が嵌め込まれている。プラグ７９における足部７９ａの下端には後ろ向きの爪７９ｂが形成されている一方、図９（Ａ）に示すように、バックサポート１１の耳部には、プラグ７９の爪７９ｂが下方から引っ掛かり係合する爪キャッチ１１ｃを前向きに突設している。
【００５０】
トップメンバー１５のうち重合面７１より上の部分には、軽量化及び樹脂の使用量節減のため前向き開口の空所と後ろ向き開口の空所が多数形成されている。トップメンバー１５は相当の部分がバックサポート１１の後ろにオーバーハングしており、また、トップメンバー１５の後端にはバックサポート１１の後ろ向き突出部６５を後ろから覆う後ろ壁８０が形成されている。
【００５１】
従って、後ろ壁８０を主要要素としてトップメンバー１５の（或いは背板１０の）オーバーハング部３ａが形成されており、背もたれ３のオーバーハング部３ａはトップメンバー１５で構成されている。トップ突条７５は後ろ壁８０の下端まで延びており、更に、後ろ壁８０の下端にはトップ突条７５に連続したバック突条８１が形成されている。
【００５２】
背クッション１２は、メインメンバー１４から上向きに延びてトップメンバー１５も覆っている。従って、図１４（Ａ）に示すように、背クッション１２はトップメンバー１５のバック突条８１まで延びている。そして、表皮材１３は後ろ壁８０の内面まで巻き込まれており、縁板２５をキャッチ突起２６に嵌合させている。図１４（Ｂ）（Ｃ）から理解できるように、表皮材１３はトップメンバー１５のサイド凹所７８の内部にも入り込んでおり、サイド凹所７８の内壁７８ａに設けたキャッチ突起２６に縁板２５を嵌め込んでいる。このため、表皮材１３は凹所７８の外側部において張った状態に保持されている。
【００５３】
図１３（Ａ）及び図１４（Ａ）に示すように、第１下向き突起７２は側面視で下窄まりのテーパ形状になっている一方、メインメンバー１４の位置決め穴７３は側面視で上向きに広がったテーパ状になっており、このため、第１下向き突起７２は位置決め穴７３にスムースに誘い込まれる。第１下向き突起７２は係合爪８２を形成し、位置決め穴７３の背面部には補助係合穴８３を形成している。左右中間部の第１下向き突起７２では係合爪８２は後ろ向きに突出しており、左右両側の第１下向き突起７２では係合爪８２は前向きに突出している。
【００５４】
これら係合爪８２が補助係合穴８３に嵌合していることにより、トップメンバー１５は
メインメンバー１４に対して上向き離脱不能に保持されている。補助係合穴８３に対する係合爪８２の嵌合解除は、係合爪８２をマイナスドライバ等で押すことで行える。
【００５５】
(6).その他
本願発明は上記の実施形態の他にも様々に具体化できる。例えば適用対象は回転椅子に限定されず、パイプ椅子などの各種の椅子に適用できる。また、背もたれがロッキングしない椅子にも適用できることはいうでもない。実施形態では背板をメインメンバーとトップメンバーとの２つの部材で分離構成したが、背板が一体構造であってもよいことはいうまでもない。
【００５６】
実施形態のようにバックサポートにオ後ろ向き突出部を設ける場合、バックサポートの後ろ向き突出部は左右略全長にわたって延びるように形成することも可能である。また、背板がバックサポートの前面のみに重なるように形成して、背板の前面とバックサポートの後ろ向き突出部（オーバーハング部）とを表皮材で一連に覆うことも可能である。更に、バックサポートを使用せずに背板を強度メンバーとして機能させることも可能である（この場合は、背板の上端部にオーバーハング部を形成して、その下面に引手穴を設けたらよい。）。
【００５７】
また、引手穴は下方と左右方向との両方向に開口していてもよい。換言すると、背もたれの上部に下向きに突出したオーバーハング部を設け、このオーバーハング部を引手として利用することも可能である。
【産業上の利用可能性】
【００５８】
本願発明は椅子に適用して有用性を発揮する。従って、産業上利用できる。
【符号の説明】
【００５９】
２  座
３  背もたれ
３ａ  背もたれのオーバーハング部
１０  背板
１１  バックサポート
１２  背クッション
１３  表皮材
１４  背板を構成するメインメンバー
１５  背板を構成するトップメンバー
６５  バックサポートの後ろ向き突出部
６６  バックサポートの後ろ向き突出部を構成する背面板
６７  バックサポートの後ろ向き突出部を構成する下面板
６８  引手穴
８０  トップメンバーのオーバーハング部を構成する後ろ壁
【図１】
2015057244.tif 000003
【図２】
2015057244.tif 000004
【図３】
2015057244.tif 000005
【図４】
2015057244.tif 000006
【図５】
2015057244.tif 000007
【図６】
2015057244.tif 000008
【図７】
2015057244.tif 000009
【図８】
2015057244.tif 000010
【図９】
2015057244.tif 000011
【図１０】
2015057244.tif 000012
【図１１】
2015057244.tif 000013
【図１２】
2015057244.tif 000014
【図１３】
2015057244.tif 000015
【図１４】
2015057244.tif 000016